(57)【要約】【課題】本発明は、受信信号の振幅から直接的にＲＳＳＩを求めるＩＣを用いずにＲＳＳＩを評価してＡＧＣを行う受信装置を提供する。【解決手段】測定部２はＩ信号のレベル情報とＱ信号のレベル情報とから出力信号強度情報Ｉ２＋Ｑ２を算出する。記憶部５は、ＲＳＳＩと、制御レベル情報ＣＬと、出力信号強度情報Ｉ２＋Ｑ２との対応関係を示す対応関係情報を記憶している。ＲＳＳＩ評価部４は、測定部２によって測定された出力信号強度情報Ｉ２＋Ｑ２と、利得調整部３から与えられた制御レベル情報ＣＬとに対応して記憶されているＲＳＳＩ値を記憶部５から検索し、検索されたＲＳＳＩ値を利得調整部３及び制御部７０へ提示する。利得調整部３は、提示されたＲＳＳＩ値に応じて、出力信号強度情報Ｉ２＋Ｑ２を所期の目標値に接近させるように制御レベル情報ＣＬを調整する。【選択図】          図１
2004328071.tif 000002
【特許請求の範囲】
【請求項１】
制御信号のレベルに応じて利得を制御され、受信信号を増幅する可変利得増幅手段を用いて構成される受信装置であって、
制御信号のレベルと、受信信号の強度と、前記可変利得増幅手段からの出力信号の強度との対応関係を示す対応関係情報を記憶している記憶手段と、
前記可変利得増幅手段から得られた出力信号の強度を測定する測定手段と、
前記可変利得増幅手段へ与えられた制御信号のレベルと、前記測定された強度とに対応して前記対応関係情報によって示される受信信号の強度を求め、当該求めた受信信号の強度を実際の受信信号の強度であると評価する評価手段と、
評価された受信信号の強度に応じて前記制御信号のレベルを調整する利得調整手段と
を備えることを特徴とする受信装置。
【請求項２】
前記可変利得増幅手段から得られた出力信号はＩ信号及びＱ信号に直交復調され、
前記測定手段は、当該Ｉ信号及び当該Ｑ信号それぞれのレベルの２乗和を算出することにより前記測定を行う
ことを特徴とする請求項１に記載の受信装置。
【請求項３】
前記記憶手段は、制御信号のレベル値と出力信号の強度値との異なる複数の組み合わせそれぞれに対応させて、受信信号の強度値を記憶しており、
前記評価手段は、前記可変利得増幅手段へ与えられた制御信号のレベル値と、前記測定された強度値とに対応して前記記憶手段に記憶されている受信信号の強度値を検索し、当該検索された強度値を用いて実際の受信信号の強度を評価する
ことを特徴とする請求項１又は請求項２に記載の受信装置。
【請求項４】
制御信号のレベルに応じて利得を制御され、受信信号を増幅する可変利得増幅手段を用いて構成される受信装置の制御方法であって、
制御信号のレベルと、受信信号の強度と、前記可変利得増幅手段からの出力信号の強度との対応関係を示す対応関係情報を用いて実行され、
前記可変利得増幅手段から得られた出力信号の強度を測定する測定ステップと、
前記可変利得増幅手段へ与えられた制御信号のレベルと、前記測定された強度とに対応して前記対応関係情報によって示される受信信号の強度を求め、当該求めた受信信号の強度を実際の受信信号の強度であると評価する評価ステップと、
評価された受信信号の強度に応じて前記制御信号のレベルを調整する利得調整ステップと
を含むことを特徴とする制御方法。
【請求項５】
制御信号のレベルに応じて利得を制御され、受信信号を増幅する可変利得増幅手段を用いて構成される受信装置を制御するためのコンピュータ実行可能なプログラムであって、
制御信号のレベルと、受信信号の強度と、前記可変利得増幅手段からの出力信号の強度との対応関係を示す対応関係情報を用いて実行され、
前記可変利得増幅手段から得られた出力信号の強度を測定する測定ステップと、
前記可変利得増幅手段へ与えられた制御信号のレベルと、前記測定された強度とに対応して前記対応関係情報によって示される受信信号の強度を求め、当該求めた受信信号の強度を実際の受信信号の強度であると評価する評価ステップと、
評価された受信信号の強度に応じて前記制御信号のレベルを調整する利得調整ステップと
をコンピュータに実行させることを特徴とするプログラム。
【発明の詳細な説明】
【０００１】
【発明が属する技術分野】
本発明は、受信信号の強度を評価し、当該評価された強度に応じて当該受信信号を増幅する可変利得増幅器の利得を制御する技術に関する。
【０００２】
【従来の技術】
従来の無線通信装置は、所定の周波数チャネルを使用して無線通信を開始するにあたり、当該周波数チャネルで信号を受信してその強度を測定する。そして、測定された受信信号の強度が所定のしきい値以下であれば、当該周波数チャネルは他の無線通信装置によって使用されていないと判断し、自ら当該周波数チャネルを使用して無線通信を開始する。
【０００３】
また、無線通信の開始後にも受信信号の強度を測定し、測定された受信信号の強度に応じて、受信信号を増幅する可変利得増幅器の利得を自動制御（ＡＧＣ：Ａｕｔｏｍａｔｉｃ  Ｇａｉｎ  Ｃｏｎｔｒｏｌ）することによって、当該可変利得増幅器の出力レベルを良好なダイナミックレンジが得られる一定のレベルに維持している。
ここで測定される受信信号の強度は、ＲＳＳＩ（Ｒｅｃｅｉｖｅｄ  Ｓｉｇｎａｌ  Ｓｔｒｅｎｇｔｈ  Ｉｎｄｉｃａｔｏｒ）と呼ばれる指標で表示される。
【０００４】
従来の無線通信装置は、ＲＳＳＩを測定するためのＩＣ（Ｉｎｔｅｇｒａｔｅｄ  Ｃｉｒｃｕｉｔ）を備え、当該ＩＣを用いて受信信号の振幅から直接的にＲＳＳＩを求めている。ＲＳＳＩの測定に利用可能なＩＣとして、例えばアナログデバイセズ社製のＡＤ８３１０（非特許文献１を参照）がある。
図６は、ＲＳＳＩを測定するためのＩＣ９９０を備える無線通信装置の典型的な構成を示している。ＩＣ９９０が所定のしきい値を超えるＲＳＳＩを制御部９７０に示した場合、制御部９７０は、その周波数チャネルの使用を断念する。
【０００５】
利得調整部９８０は、ＲＳＳＩに応じて受信信号レベル制御信号ＲＸＬＣを調整して可変利得増幅器９４０の利得を制御することにより、受信信号ＲＸの強度が変化した場合でも、ベースバンド部９６０へ供給されるＩ信号、Ｑ信号を良好なダイナミックレンジが得られる一定の強度に維持している。
【０００６】
【非特許文献１】
”Ｆａｓｔ，  Ｖｏｌｔａｇｅ−Ｏｕｔ  ＤＣ−４４０ＭＨｚ  ９５ｄＢ  Ｌｏｇａｒｉｔｈｍｉｃ  Ａｍｐｌｉｆｉｅｒ  ＡＤ８３１０”，  Ｒｅｖ．Ａ，  Ａｎａｌｏｇ  Ｄｅｖｉｃｅｓ，  Ｉｎｃ．，  １９９９，  製品データシート
【０００７】
【発明が解決しようとする課題】
しかしながら、上記従来技術の無線通信装置において、ＲＳＳＩを測定するために備えられるＩＣは、装置を構成する部品点数の削減を阻害する。このことは、小型軽量化を強く希求される携帯電話機や携帯型無線情報端末において、問題となる。
【０００８】
上記の問題に鑑み、本発明は、受信信号の振幅から直接的にＲＳＳＩを求めるＩＣを用いることなくＲＳＳＩを評価するＲＳＳＩ評価装置、及びＲＳＳＩ評価方法の提供を目的とする。
【０００９】
【課題を解決するための手段】
（１）上記問題を解決するため、本発明の受信装置は、制御信号のレベルに応じて利得を制御され、受信信号を増幅する可変利得増幅手段を用いて構成される受信装置であって、制御信号のレベルと、受信信号の強度と、前記可変利得増幅手段からの出力信号の強度との対応関係を示す対応関係情報を記憶している記憶手段と、前記可変利得増幅手段から得られた出力信号の強度を測定する測定手段と、前記可変利得増幅手段へ与えられた制御信号のレベルと、前記測定された強度とに対応して前記対応関係情報によって示される受信信号の強度を求め、当該求めた受信信号の強度を実際の受信信号の強度であると評価する評価手段と、評価された受信信号の強度に応じて前記制御信号のレベルを調整する利得調整手段とを備える。
（２）また、前記記憶手段は、制御信号のレベル値と出力信号の強度値との異なる複数の組み合わせそれぞれに対応させて、受信信号の強度値を記憶しており、前記評価手段は、前記可変利得増幅手段へ与えられた制御信号のレベル値と、前記測定された強度値とに対応して前記記憶手段に記憶されている受信信号の強度値を検索し、当該検索された強度値を用いて実際の受信信号の強度を評価してもよい。
【００１０】
【発明の実施の形態】
実施の形態における受信装置は、制御信号のレベルに応じて利得を制御され、受信信号を増幅する可変利得増幅器を用いて構成される。
当該受信装置は、制御信号のレベルと、受信信号の強度と、前記可変利得増幅手段からの出力信号の強度との対応関係を示す対応関係情報を記憶しており、当該可変利得増幅器からの出力信号のレベルと制御信号のレベルとから当該対応関係情報を参照してＲＳＳＩを評価し、当該評価されたＲＳＳＩに応じて、当該可変利得増幅器からの出力信号に良好なダイナミックレンジを与えるように制御信号のレベルを調整する。
（全体構成）
図１は、本実施の形態における受信装置の全体構成を示すブロック図である。
【００１１】
当該受信装置は、アンテナ１０、ＲＦ増幅器２０、周波数変換器３０、可変利得増幅器４０、Ｄ／Ａコンバータ４１、復調部５０、Ａ／Ｄコンバータ５１及び５２、ベースバンド部６０、測定部２、利得調整部３、ＲＳＳＩ評価部４、記憶部５、並びに、制御部７０から構成される。
ここで、測定部２、利得調整部３、ＲＳＳＩ評価部４、及び記憶部５は、具体的には、ＤＳＰ（Ｄｉｇｉｔａｌ  Ｓｉｇｎａｌ  Ｐｒｏｃｅｓｓｏｒ）と当該ＤＳＰが実行するプログラムを記憶しているＲＯＭ（Ｒｅａｄ  Ｏｎｌｙ  Ｍｅｍｏｒｙ）からなり、当該各部の機能は、当該ＤＳＰが当該プログラムを実行することによって実現される。
【００１２】
アンテナ１０に受信された受信信号ＲＸは、ＲＦ増幅器２０により増幅され、周波数変換器３０により中間周波数信号へ周波数変換された後、可変利得増幅器４０で増幅される。復調部５０は、可変利得増幅器４０からの出力信号をＩ信号及びＱ信号に復調する。
Ａ／Ｄコンバータ５１及び５２は、それぞれＩ信号及びＱ信号をデジタル変換して、ベースバンド部６０及び測定部２へ供給する。当該デジタル変換後のＩ信号及びＱ信号は、それぞれの信号レベルを表す時系列数値情報である。
【００１３】
ベースバンド部６０は、当該デジタル変換後のＩ信号及びＱ信号を、例えば、図外の情報処理部へ供給し、また別の例では、音声信号に変換して図外のスピーカから発音する。
Ｄ／Ａコンバータ４１は、利得調整部３から与えられる制御レベル情報ＣＬを、受信信号レベル制御信号ＲＸＬＣにアナログ変換して、可変利得増幅器４０へ利得制御信号として供給する。
【００１４】
制御部７０は、当該受信装置全体の動作を統御する。
（Ｉ信号及びＱ信号の詳細）
一例として、変調方式がπ／４シフトＱＰＳＫである場合の、Ｉ信号及びＱ信号の詳細について説明する。
図２は、π／４シフトＱＰＳＫ変調されたＩ信号対Ｑ信号の典型的なコンスタレーションチャートである。Ｉ信号及びＱ信号のレベルは、このチャートに示された曲線上を遷移する。
【００１５】
図３は、このように遷移するＩ信号及びＱ信号のレベルの２乗和の平方根値を時系列にプロットした時間変位グラフである。すなわち、前述したデジタル変換後のＩ信号及びＱ信号の２乗和の平方根値の時間変位を示している。
（受信装置の詳細）
利得調整部３は、最初、制御レベル情報ＣＬの初期値を出力している。
【００１６】
測定部２は、所定のサンプリング時間毎に、Ａ／Ｄコンバータ５１及び５２からそれぞれ与えられたＩ信号のレベル情報とＱ信号のレベル情報とを２乗和して、出力信号強度情報Ｉ２＋Ｑ２を算出する。即ち、図３に示したような時系列数値情報を求める。
ＲＳＳＩ評価部４は、測定部２によって過去所定時間内に算出された出力信号強度情報Ｉ２＋Ｑ２の最大値と、最新の制御レベル情報ＣＬとから、記憶部５に記憶されている対応関係情報を参照して、受信信号ＲＸの強度ＲＳＳＩを評価する。
【００１７】
記憶部５は、受信信号ＲＸの強度ＲＳＳＩと、制御レベル情報ＣＬと、出力信号強度情報Ｉ２＋Ｑ２との対応関係を示す対応関係情報を記憶している。
図４は、記憶部５において、対応関係情報テーブル１００に記憶されている対応関係情報の具体例を示す。
対応関係情報テーブル１００は、ＲＳＳＩ欄１０１、ＣＬ欄１０２、及びＩ２＋Ｑ２欄１０３からなり、ＲＳＳＩ欄に示される強度の受信信号ＲＸをＣＬ欄に示される利得で増幅した場合に得られる出力信号の強度を、Ｉ２＋Ｑ２欄に格納している。対応関係情報テーブル１００は、複数の行それぞれに、ＲＳＳＩ値、ＣＬ値、Ｉ２＋Ｑ２値の異なる組み合わせを格納している。当該対応関係情報は、本発明の範囲外において予め求められ、当該対応関係情報テーブル１００に格納される。
【００１８】
ＲＳＳＩ評価部４は、測定部２から過去所定時間内に与えられた出力信号強度情報Ｉ２＋Ｑ２の最大値と、利得調整部３から与えられた制御レベル情報ＣＬとにそれぞれ一致するか、又は最も近い値を示す行に保持されているＲＳＳＩ値を対応関係情報テーブル１００から検索し、検索されたＲＳＳＩ値を利得調整部３及び制御部７０へ提示する。
【００１９】
ＲＳＳＩ評価部４は、測定部２から与えられた出力信号強度情報Ｉ２＋Ｑ２と、利得調整部３から与えられた制御レベル情報ＣＬとを含む範囲を示す２行にそれぞれ保持されているＲＳＳＩ値を検索し、それらを補間して得た値を利得調整部３及び制御部７０へ提示してもよい。
利得調整部３は、Ｉ信号及びＱ信号それぞれが、Ａ／Ｄコンバータ５１及び５２で良好にデジタル変換されるレンジに入る（つまり良好なダイナミックレンジが与えられる）レベルに増幅されるための可変利得増幅器４０の利得を、ＲＳＳＩ値に対応して予め記憶している（不図示）。そして、ＲＳＳＩ評価部４から提示されたＲＳＳＩ値に対応して記憶されている利得を指示する制御レベル情報ＣＬを出力する。
【００２０】
利得調整部３から出力された制御レベル情報ＣＬは、Ｄ／Ａコンバータ４１で利得制御信号ＲＸＬＣに変換されて可変利得増幅器４０の利得を制御する。この結果、Ｉ信号及びＱ信号それぞれに良好なダイナミックレンジが与えられる。
図５は、受信装置が実行する一連の処理を示すフローチャートである。
利得調整部３は、制御レベル情報ＣＬの初期値を出力する（Ｓ０１）。
【００２１】
測定部２は、Ａ／Ｄコンバータ５１及び５２から与えられたＩ信号、及びＱ信号それぞれのレベル情報から、出力信号強度情報Ｉ２＋Ｑ２を算出する（Ｓ０２）。
ＲＳＳＩ評価部４は、測定部２によって算出された出力信号強度情報Ｉ２＋Ｑ２の過去所定時間内における最大値と、利得調整部３によって調整された最新の制御レベル情報ＣＬとに対応するＲＳＳＩ値を記憶部５から検索する（Ｓ０３）。
【００２２】
ＲＳＳＩ評価部４は、検索したＲＳＳＩ値を利得調整部３及び制御部７０に提示する（Ｓ０４）。
利得調整部３は、ＲＳＳＩ評価部４によって検索され、提示されたＲＳＳＩ値に応じて、Ｉ信号及びＱ信号それぞれに良好なダイナミックレンジを与える制御レベル情報ＣＬを出力する（Ｓ０５）。
【００２３】
受信装置は、ステップＳ０２〜Ｓ０５の処理を繰り返す（Ｓ０６）。
（まとめ）
以上説明したように、本実施の形態の受信装置は、ＤＳＰを用いたソフトウェア処理によって、可変利得増幅器に与える利得制御信号と、当該可変利得増幅器から実際に得られた出力信号の強度とから、予め記憶されている対応関係情報を参照して、当該可変利得増幅器へ実際に与えられた受信信号のＲＳＳＩを評価して、当該可変利得増幅器の利得を調整する。
【００２４】
この構成は、可変利得増幅器を備える受信装置において、ＲＳＳＩを測定するためだけに設けられていたＩＣを、ＤＳＰによるソフトウェア処理によって代替し、当該ＩＣを省略可能とする。
（その他の変形例）
なお、本発明を上記の実施の形態に基づいて説明してきたが、本発明は、上記の実施の形態に限定されないのはもちろんである。以下のような場合も本発明に含まれる。
（１）本発明は、実施の形態で説明したステップを含む方法を、コンピュータシステムを用いて実現するためのコンピュータプログラムであるとしてもよいし、前記プログラムを表すデジタル信号であるとしてもよい。
【００２５】
また、本発明は、前記プログラム又は前記デジタル信号を記録したコンピュータ読取り可能な記録媒体、例えば、フレキシブルディスク、ハードディスク、ＣＤ、ＭＯ、ＤＶＤ、半導体メモリ等であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【００２６】
また、前記プログラム又は前記デジタル信号は、前記記録媒体に記録されて移送され、若しくは、前記ネットワーク等を経由して移送され、独立した他のコンピュータシステムにおいて実施されるとしてもよい。
（２）実施の形態では、対応関係情報を、ＲＳＳＩ、ＣＬ、及びＩ２＋Ｑ２それぞれの具体値の組み合わせとしてテーブルに保持する例を示したが、対応関係情報の表現形式は当該形式に限定されない。
【００２７】
例えば、対応関係情報を、ＲＳＳＩ、ＣＬ、及びＩ２＋Ｑ２の間に成り立つ関係式の形式で保持しておき、当該関係式に、利得調整部３によって調整された制御レベル情報ＣＬと、測定部２によって算出された出力信号強度情報Ｉ２＋Ｑ２とを代入して、ＲＳＳＩについて解くことによってＲＳＳＩを算出してもよい。
（３）実施の形態では、ＲＳＳＩ値を評価するために、過去所定時間内に算出された出力信号強度情報Ｉ２＋Ｑ２の最大値を用いるとしたが、過去所定時間内に算出された出力信号強度情報Ｉ２＋Ｑ２の平均値（いわゆる移動平均）を用いてもよいし、シンボル点の到来時刻に同期してサンプリングされた出力信号強度情報Ｉ２＋Ｑ２の値を用いてもよい。
（４）また、通信方式に時分割多重アクセス方式を採り、各タイムスロットの先頭、例えばプリアンブル部分、において固定されたシンボル系列が通信される場合には、当該部分においてのみ制御レベル情報ＣＬを調整してもよい。
【００２８】
当該部分では、固定されたシンボル系列に基づいて制御レベル情報ＣＬを調整できるから、調整精度の向上が期待できる。
（５）利得調整部３は、ＲＳＳＩ評価部４によって評価されたＲＳＳＩ値に応じて制御レベル情報ＣＬを調整するとしたが、この方法による調整と、出力信号強度情報Ｉ２＋Ｑ２の最大値が所定の目標値に接近するように制御レベル情報ＣＬを調整するフィードバック制御による調整とを、切り替えて行ってもよい。
【００２９】
この切り替えの具体例として、通信方式に時分割多重アクセス方式を採る通信において、リンクチャネルに比べて長い間隔をあけてタイムスロットが割り当てられる制御チャネルではＲＳＳＩ評価部４によって評価されたＲＳＳＩ値に応じて制御レベル情報ＣＬを調整し、リンクチャネルではフィードバック制御による調整を行ってもよい。
【００３０】
また、ＲＳＳＩ値の時間変動が所定の範囲内に収束するまではＲＳＳＩ評価部４によって評価されたＲＳＳＩ値に応じて制御レベル情報ＣＬを調整し、収束した後にはフィードバック制御による調整を行ってもよい。
【００３１】
【発明の効果】
本発明の受信装置は、制御信号のレベルに応じて利得を制御され、受信信号を増幅する可変利得増幅手段を用いて構成される受信装置であって、制御信号のレベルと、受信信号の強度と、前記可変利得増幅手段からの出力信号の強度との対応関係を示す対応関係情報を記憶している記憶手段と、前記可変利得増幅手段から得られた出力信号の強度を測定する測定手段と、前記可変利得増幅手段へ与えられた制御信号のレベルと、前記測定された強度とに対応して前記対応関係情報によって示される受信信号の強度を求め、当該求めた受信信号の強度を実際の受信信号の強度であると評価する評価手段と、評価された受信信号の強度に応じて前記制御信号のレベルを調整する利得調整手段とを備える。
【００３２】
この構成によれば、可変利得増幅器に与える利得制御信号と、当該可変利得増幅器から実際に得られた出力信号の強度とから、予め記憶されている対応関係情報を用いて、当該可変利得増幅器へ実際に与えられた受信信号のＲＳＳＩを評価して、当該可変利得増幅器の利得を調整する。この構成は、ＤＳＰによるデジタル信号処理機能として実現できるから、信号の振幅から直接的にＲＳＳＩを求める従来のＩＣを、当該機能を実現するＤＳＰで代替することにより、当該従来のＩＣを用いずにＲＳＳＩを評価して、当該可変利得増幅器の利得を調整できる。
【００３３】
昨今の受信装置は、受信信号を良好なダイナミックレンジが得られる一定の強度に維持するためのＡＧＣ制御をはじめとする各種の信号処理を、ＤＳＰを用いてデジタル処理しており、本発明の構成は、そのような受信装置においてＤＳＰのプログラムを追加することで、部品点数を増やさずに実現できる。
またこの構成は、可変利得増幅器から実際に得られた出力信号を考慮するから、出力信号が目標の強度に収束していない状態、つまり過渡状態においてもＲＳＳＩを評価して、当該可変利得増幅器の利得を調整できる。このため、制御チャネルにおける受信信号のように、継続時間が比較的短く、当該継続時間中に十分な収束が得られない場合にも、良好に適用できる。
【００３４】
また、前記可変利得増幅手段から得られた出力信号はＩ信号及びＱ信号に直交復調され、前記測定手段は、当該Ｉ信号及び当該Ｑ信号それぞれのレベルの２乗和を算出することにより前記測定を行ってもよい。
この構成は、直交変復調方式を採用する無線装置に適合する。
また、前記記憶手段は、制御信号のレベル値と出力信号の強度値との異なる複数の組み合わせそれぞれに対応させて、受信信号の強度値を記憶しており、前記評価手段は、前記可変利得増幅手段へ与えられた制御信号のレベル値と、前記測定された強度値とに対応して前記記憶手段に記憶されている受信信号の強度値を検索し、当該検索された強度値を用いて実際の受信信号の強度を評価してもよい。
【００３５】
この構成によれば、前記対応関係情報を具体値の組み合わせの形式でテーブルに保持し検索するので、コンピュータプログラムを用いた実装に適している。
本発明の受信装置の制御方法は、制御信号のレベルに応じて利得を制御され、受信信号を増幅する可変利得増幅手段を用いて構成される受信装置の制御方法であって、制御信号のレベルと、受信信号の強度と、前記可変利得増幅手段からの出力信号の強度との対応関係を示す対応関係情報を用いて実行され、前記可変利得増幅手段から得られた出力信号の強度を測定する測定ステップと、前記可変利得増幅手段へ与えられた制御信号のレベルと、前記測定された強度とに対応して前記対応関係情報によって示される受信信号の強度を求め、当該求めた受信信号の強度を実際の受信信号の強度であると評価する評価ステップと、評価された受信信号の強度に応じて前記制御信号のレベルを調整する利得調整ステップとを含む。
【００３６】
この方法を用いて受信装置を制御することにより、前述と同様の効果が得られる。
本発明のプログラムは、制御信号のレベルに応じて利得を制御され、受信信号を増幅する可変利得増幅手段を用いて構成される受信装置を制御するためのコンピュータ実行可能なプログラムであって、制御信号のレベルと、受信信号の強度と、前記可変利得増幅手段からの出力信号の強度との対応関係を示す対応関係情報を用いて実行され、前記可変利得増幅手段から得られた出力信号の強度を測定する測定ステップと、前記可変利得増幅手段へ与えられた制御信号のレベルと、前記測定された強度とに対応して前記対応関係情報によって示される受信信号の強度を求め、当該求めた受信信号の強度を実際の受信信号の強度であると評価する評価ステップと、評価された受信信号の強度に応じて前記制御信号のレベルを調整する利得調整ステップとをコンピュータに実行させる。
【００３７】
このプログラムを用いて受信装置を制御することにより、前述と同様の効果が得られる。
【図面の簡単な説明】
【図１】受信装置の全体構成を示している。
【図２】π／４シフトＱＰＳＫ変調におけるコンスタレーションチャートである。
【図３】Ｉ信号及びＱ信号の２乗和の平方根値の時系列変位グラフである。
【図４】対応関係情報の具体例である。
【図５】受信装置が実行する処理の一例を示すフローチャートである。
【図６】従来の受信装置の典型的な構成例を示している。
【符号の説明】
２    測定部
３    利得調整部
４    ＲＳＳＩ評価部
５    記憶部
１０    アンテナ
２０    ＲＦ増幅器
３０    周波数変換器
４０    可変利得増幅器
４１    Ｄ／Ａコンバータ
５０    復調部
５１、５２  Ａ／Ｄコンバータ
６０    ベースバンド部
７０    制御部
１００    対応関係情報テーブル
１０１    ＲＳＳＩ欄
１０２    ＣＬ欄
１０３    Ｉ２＋Ｑ２欄
９４０    可変利得増幅器
９６０    ベースバンド部
９７０    制御部
９８０    利得調整部
９９０    ＩＣ
【図１】
2004328071.tif 000003
【図２】
2004328071.tif 000004
【図３】
2004328071.tif 000005
【図４】
2004328071.tif 000006
【図５】
2004328071.tif 000007
【図６】
2004328071.tif 000008